(57)【要約】 【課題】ユーザにＩＣカードの提示をさせなくても、自動改札システムを運用する人がＩＣカードの不正使用の疑いがあることを簡単に見つけ出すことができる利用者確認システム、その利用者確認システムに適用されるＩＣカードを提供する。【解決手段】ＩＣカード１０が改札口に設定されたＩＣカードリーダ１２にかざされたときに、カメラ１３で利用者の顔を撮影し撮影した画像を画像表示装置１１の表示画面上に表示するとともに、ＩＣカード１０から読み取った画像情報に基づく画像をランダムに抽出してこのＩＣカードを利用した過去の利用者の顔を表示画面上に並べて表示する。駅員が視認によりＩＣカードの不正使用の疑いがあるかどうかを判定する。【選択図】図１
2009217478.tif 000002
【特許請求の範囲】
【請求項１】
電子マネー情報および画像情報が書換自在に記録されたＩＣカードと、
画像を表示する画像表示装置と、
改札口に設置され、前記ＩＣカードから電子マネー情報を読み取って決済するとともに該ＩＣカードから画像情報を読み取って前記画像表示装置に送るＩＣカードリーダと、
前記ＩＣカードリーダが前記ＩＣカードを読み取ったことを受けて、該ＩＣカードを所持する利用者の顔を撮影して画像情報を得、該画像情報を前記ＩＣカードリーダと前記画像表示装置に送るカメラとを備え、
前記ＩＣカードリーダが、前記カメラから送られてきた画像情報を前記ＩＣカードに書き込むものであり、
前記画像表示装置が、前記ＩＣカードリーダが前記ＩＣカードから読み取った画像情報に基づく画像と前記カメラでの撮影により得られた画像情報に基づく画像との双方を表示するものであることを特徴とする利用者確認システム。
【請求項２】
前記ＩＣカードは、複数の画像情報の記録が行なわれるものであり、
前記ＩＣカードリーダは、前記ＩＣカードから、該ＩＣカードに記録されている画像情報のうちのいずれか１つ以上の画像情報をランダムに抽出して読み取るものであることを特徴とする請求項１記載の利用者確認システム。
【請求項３】
前記ＩＣカードは、複数の画像情報の記録が行なわれるものであり、
前記ＩＣカードリーダは、前記ＩＣカードから、該ＩＣカードに複数の画像情報が記録されていた場合に複数の画像情報を読み取り、所定のアルゴリズムに基づいて所定の閾値を越えて相関の低い画像情報が存在する場合に警告を発するものであることを特徴とする請求項１記載の利用者確認システム。
【請求項４】
前記ＩＣカードが、不揮発的に画像を表示する画像表示画面を備え、該画像表示画面は、該ＩＣカードに最初に記録された画像情報に基づく画像を表示するものであることを特徴とする請求項１記載の利用者確認システム。
【請求項５】
前記画像表示画面が、電子ペーパであることを特徴とする請求項４記載の利用者確認システム。
【請求項６】
電子マネー情報が書換自在に記録される電子マネー情報記録部と、
画像情報が書換自在に記録される画像記録部と、
前記画像情報記録部に最初に記録された画像情報に基づく画像を不揮発的に表示する画像表示画面とを備えたことを特徴とするＩＣカード。
【請求項７】
前記画像表示画面が電子ペーパであることを特徴とする請求項６記載のＩＣカード。  
【発明の詳細な説明】
【技術分野】
【０００１】
本発明は、ＩＣカードの不正使用を防止する利用者確認システムおよびその利用者確認システムに用いられるＩＣカードに関する。
【背景技術】
【０００２】
最近、ＰＡＳＭＯ（登録商標）やＳＵＩＣＡ（登録商標）といったプリペイドカードになるＩＣカードが普及し始めている（例えば特許文献１参照）。このＰＡＳＭＯやＳＵＩＣＡといったＩＣカードは、駅等に設置されているチャージ機に現金が挿入されるとその現金分の額の電子マネーがチャージされてプリペイドカードとしての機能が発揮される。このため、ユーザはわざわざ切符を購入しなくてもそのＩＣカードを自動改札システムを構成する改札器のＩＣカードリーダー上にかざすだけで電子マネーによって運賃の支払いが行なわれて電車を利用することが可能となる。またこのＰＡＳＭＯやＳＵＩＣＡといったＩＣカードは、電子マネーであって現金の代わりになる。したがって、ＩＣカードを持っているユーザは、上記自動改札システム以外においても、このＩＣカードによる決済システムが整備されているところにおいては様々なサービスの提供を受けることができる。
【０００３】
ところで、クレジットカードやＳＵＩＣＡの機能が付加された、いわゆるお財布ケータイなどでは、本人以外の人がそのクレジットカードやお財布ケータイなどを悪用することができないようにするためにセキュリティ機能が配備されているものが多い（特許文献１〜特許文献７）。これらの特許文献では、本人を証明する指紋や暗証番号などを活用してセキュリティ機能を発揮させるものが多い。
【０００４】
しかしながら上記ＰＡＳＭＯや上記ＳＵＩＣＡといったＩＣカードにおいては、額が小額であることと再発行を行なうことができるということとを考慮して身分証明用の指紋や暗証番号を設定することはせずに誰でも簡単に券売機で購入することができるようにしている。このため、利用者がＩＣカードを一旦落としてしまうようなことがあると他の人にそのＩＣカードが悪用されてしまう恐れが出てくる。実際、駅などの落し物係に届けられる落し物としてはＩＣカードが非常に高ランクのところに位置している。
【０００５】
そこで、例えば上記特許文献１〜７の中の特許文献６の技術を活用してＩＣカードを持った人が改札口を通過したときにＩＣカードリーダからそのＩＣカードにセキュリティ情報を送信すると同時にその場で撮影した画像を送信してＩＣカードに画像を表示することが考えられる。そうすると、例えば自動改札システムを運用する側の人が、ユーザにＩＣカードを提示させてＩＣカード上の表示画像と本人とを見比べることで不正使用が行なわれているかどうかの確認を行なうことができる。しかし、そうすると自動改札システムを運用する側の人が、事あるごとにユーザにＩＣカードをわざわざ提示させ本人とＩＣカード上の画像とを見比べることでＩＣカードの不正使用を見つけ出すということになるため、ユーザが正当な利用者であった場合にはそのユーザに不快感を持たせる恐れが出てくる。
【特許文献１】特開２００３−１５２９０８号公報
【特許文献２】特開２００７−７２６５７号公報
【特許文献３】特開２００３−５８７２４号公報
【特許文献４】特開２００２−４２２４８号公報
【特許文献５】特開平１０−１５４１９３号公報
【特許文献６】特開２００２−３４２７３７号公報
【特許文献７】特開２００３−３０３３６３号公報
【発明の開示】
【発明が解決しようとする課題】
【０００６】
本発明は、上記事情に鑑み、ユーザにＩＣカードの提示をさせなくても、自動改札システムを運用する人がＩＣカードの不正使用の疑いがあることを簡単に見つけ出すことができる利用者確認システム、その利用者確認システムに適用されるＩＣカードを提供することを目的とする。
【課題を解決するための手段】
【０００７】
上記目的を達成する本発明の利用者確認システムは、電子マネー情報および画像情報が書換自在に記録されたＩＣカードと、
画像を表示する画像表示装置と、
改札口に設置され、上記ＩＣカードから電子マネー情報を読み取って決済するとともにそのＩＣカードから画像情報を読み取って上記画像表示装置に送るＩＣカードリーダと、
上記ＩＣカードリーダが上記ＩＣカードを読み取ったことを受けて、そのＩＣカードを所持する利用者の顔を撮影して画像情報を得、その画像情報を上記ＩＣカードリーダと上記画像表示装置に送るカメラとを備え、
上記ＩＣカードリーダが、上記カメラから送られてきた画像情報を上記ＩＣカードに書き込むものであり、
上記画像表示装置が、上記ＩＣカードリーダが上記ＩＣカードから読み取った画像情報に基づく画像と上記カメラでの撮影により得られた画像情報に基づく画像との双方を表示するものであることを特徴とする。
【０００８】
上記利用者確認システムによれば、上記ＩＣカードリーダによって上記ＩＣカードが読み取られたことを受けて上記カメラで利用者の顔の撮影が行なわれて、そのカメラでの撮影により得られた画像情報がＩＣカードに書き込まれる。さらに上記カメラでの撮影により得られた画像情報に基づく現在の画像と、上記ＩＣカード内に過去に書き込まれていた画像情報に基づく画像とが画像表示装置の表示画面上にそれぞれ表示される。
【０００９】
このため、自動改札システムを運用する人が、ユーザに上記ＩＣカードの提示をさせなくても、現在の使用者の顔と過去の使用者の顔との違いを表示画面上で視認して不正使用の疑いがあるかどうかを判断することができるようになる。そしてその自動改札システムを運用する人が不正使用の疑いがあると判断したときには、ユーザに対して現在所持しているＩＣカードの使用経緯を問いただすことができるようになる。
【００１０】
ここで、上記ＩＣカードは、複数の画像情報の記録が行なわれるものであり、
上記ＩＣカードリーダは、上記ＩＣカードから、そのＩＣカードに記録されている画像情報のうちのいずれか１つ以上の画像情報をランダムに抽出して読み取るものであることが好ましい。
【００１１】
そうすると、最も公平性が高いと考えられている無作為抽出法によってＩＣカードの持ち主を特定する画像情報が一つ抽出されて表示画面上にその画像情報に基づく画像が表示される。つまり、過去に撮影された１つ以上の画像情報の中からこのＩＣカードの利用者であるということを示す画像情報が所定の確からしさで抽出されてその画像情報に基づく画像が表示されるということになる。このため、自動改札システムを運用する側の人は、かなり高い確率で不正使用を見つけることができるようになる。
【００１２】
また上記ＩＣカードは、複数の画像情報の記録が行なわれるものであり、
上記ＩＣカードリーダは、上記ＩＣカードから、そのＩＣカードに複数の画像情報が記録されていた場合に複数の画像情報を読み取り、所定のアルゴリズムに基づいて所定の閾値を越えて相関の低い画像情報が存在する場合に警告を発するものであることが好ましい。
【００１３】
上記ＩＣカードリーダが、所定のアルゴリズムに基づいて所定の閾値を超えて相関の低い画像情報が存在することを検出したときに警告を発するものであると、自動改札システムを運用する人が表示画面上を見て違いを見つけるという主観的な判断が排除され、より正確な利用者確認システムが実現する。
【００１４】
また上記ＩＣカードが、不揮発的に画像を表示する画像表示画面を備え、その画像表示画面は、そのＩＣカードに最初に記録された画像情報に基づく画像を表示するものであることが好ましい。
【００１５】
上記ＩＣカードがそのＩＣカードに最初に記録された画像情報に基づく画像を表示する構成であると、本人証明としての利用価値が高い免許証と同じ様に、本人証明用の顔写真をＩＣカード上に貼り付けることができるようになる。
【００１６】
上記画像表示画面には電子ペーパを使用することができる。
【００１７】
また、上記利用者確認システムに適用される、上記目的を達成する本発明のＩＣカードは、
電子マネー情報が書換自在に記録される電子マネー情報記録部と、
画像情報が書換自在に記録される画像記録部と、
前記画像情報記録部に最初に記録された画像情報に基づく画像を不揮発的に表示する画像表示画面とを備えたことを特徴とし、
上記画像表示画面が電子ペーパであることが好ましい。
【発明の効果】
【００１８】
以上、説明したように、ユーザにＩＣカードの提示をさせなくても、自動改札システムを運用する人がＩＣカードの不正使用の疑いがあることを簡単に見つけ出すことができる利用者確認システム、その利用者確認システムに適用されるＩＣカードが実現する。
【発明を実施するための最良の形態】
【００１９】
以下図面を参照して本発明の実施の形態を説明する。
【００２０】
図１は、本発明の利用者確認システムを説明する概念図である。
【００２１】
図１に示す利用者確認システム１には、電子マネー情報および画像情報が書換自在に記録されたＩＣカード１０と、画像を表示する画像表示装置１１と、改札口に設置され、ＩＣカード１０から電子マネー情報を読み取って決済するとともにそのＩＣカード１０から画像情報を読み取って画像表示装置に送るＩＣカードリーダ１２と、ＩＣカードリーダ１２がＩＣカード１０を読み取ったことを受けて、そのＩＣカード１０を所持する利用者の顔を撮影して画像情報を得、その画像情報をＩＣカードリーダ１２と画像表示装置１１に送るカメラ１３とが備えられている。
【００２２】
ＩＣカードリーダ１２は、読取部１２０に提示されたＩＣカード１０を読み取るとともに、カメラ１３から送られてきた画像情報をＩＣカード１０に書き込むものでもあり、画像表示装置１１は、ＩＣカードリーダ１２がＩＣカード１０から読み取った画像情報に基づく画像Ａとカメラ１３での撮影により得られた画像情報に基づく画像Ｂとの双方を表示するものである。
【００２３】
ここで、利用者確認システムを構成するＩＣカード１０、ＩＣカードリーダ１２の構成をそれぞれ別々に説明する。まずＩＣカード１０の構成を説明する。
【００２４】
図２は、上記利用者確認システム１を構成するＩＣカード１０の構成を示す図である。また、図３は、そのＩＣカード１０が備えるメモリ１００ａ内の記録領域の構成を示す図である。
【００２５】
なお、本実施形態の利用者確認システム１においては、ＩＣカード１０がＩＣカードリーダ１２にかざされたときにだけ作動するようにするために、ＩＣカード１０にクロック発生回路や電源回路を設けずに、ＩＣカードリーダ１２からの信号を用いて電力を得たり、クロックを抽出したりする方式を採用している。この方式を採用するとＩＣカード１０の構成が非常に簡素化される。
【００２６】
図２を参照してＩＣカードの構成を説明する。
【００２７】
図２に示すＩＣカード１０には、ＩＣカード１０の動作を統括的に制御するマイクロコンピュータ１００が配備されている。そのマイクロコンピュータ１００には、ＲＯＭやＲＡＭなどの素子で構成されるメモリ１００ａが接続されており、そのメモリ１００ａ内にはＲＯＭで構成される領域とＲＡＭで構成される領域とが区切られて構成されている。そのＲＯＭ領域には、ＩＣカード１０の動作を制御するための制御プログラムが書き込まれており、ＲＡＭ領域には、ワーキングエリア、テキスト数値データ格納エリア、画像データエリアがそれぞれ設けられている。このＲＯＭ領域については書換禁止になっており、ＲＡＭ領域については随時書換を行なうことが可能な構成になっている。
【００２８】
また本実施形態においてはＩＣカード１０が可搬型の記録担体であることを考慮して、このＲＯＭ領域とＲＡＭ領域とを構成する素子に大容量であってしかも不揮発性のフラッシュメモリを用いて、複数の画像データを記録することができるようにしている。図３には、そのＩＣカード１０のメモリ１００ａの記録領域内のＲＡＭ領域のうちのテキスト数値データ格納エリアと画像データエリアの記録領域の構成が示されている。
【００２９】
またこのＩＣカード１０には、マイクロコンピュータ１００に、ＩＣカードリーダ１２から送信されてきたデータを受信して供給するためのアナログフロントエンド１０１とコマンド抽出部１０２と伝送クロック抽出部１０３とが備えられており、またそのアナログフロントエンド１０１を通してＩＣカードリーダ１２にデータを送信することができるようにもするために送信データ変換用の変換器１０４が備えられている。
【００３０】
図２に示すアナログフロントエンド１０１は、ＩＣカードリーダ１２側のコイルと電磁的に結合するコイルｃｌを通してＩＣカードリーダ１２へ無線で信号を送信するとともにＩＣカードリーダ１２からの信号を無線で受信する役目を担う。
【００３１】
そのアナログフロントエンド１０１で受信された信号は、後段のコマンド抽出部１０２と伝送クロック抽出部１０３とにそれぞれ供給される。伝送クロック抽出部１０３では、そのアナログフロントエンド１０１で受信された信号の中からクロックが抽出され、コマンド抽出部１０２では、そのアナログフロントエンド１０１で受信された信号の中からコマンドが抽出される。そして、コマンド抽出部１０２で抽出されたコマンドがマイクロコンピュータ１００に供給され、伝送クロック抽出部１０３で抽出されたクロックに同期してマイクロコンピュータ１００が動作してそのコマンドの内容がマイクロコンピュータ１００によって判読される。このときには、ＲＡＭ領域内のワーキングエリア内で適宜処理が実行される。
【００３２】
例えば図１に示すカメラ１３で撮影された今回の利用時の顔を表わす画像情報がＩＣカードリーダ１２からＩＣカード１０に送信されてきたときには、コマンド抽出部１０２で抽出された画像データがマイクロコンピュータ１００によってメモリ１００ａのＲＡＭ領域内の画像データエリアに記録されることになる。
【００３３】
このＩＣカードのメモリ１００ａは、図３に示す様にフォーマッティングされており、先頭の記録領域にはカードＩＤが記録され、次の領域には発行駅、その次には契約者番号、さらにその次には所有者個人データという初回の契約に関する情報が記録されるようになっている。さらにその後の利用履歴領域に各利用回ごとの利用履歴が随時記録される構成になっている。
【００３４】
そこで、本実施形態では、その利用履歴の中にある履歴番号を使ってカメラで撮影された利用者の顔を表わす画像データを利用履歴に関連付けて画像データ領域に記録することができるようにしている。
【００３５】
また図２のＩＣカードには、送信に適したデータに変換するための変換器１０４が備えられており、ＩＣカードリーダ１２にＩＣカード１０内の画像情報を送信するときにはマイクロコンピュータ１００の制御の下にその変換器１０４で、送信に適した画像データに変換されてからアナログフロントエンド１０１を通してＩＣカードリーダ１２に画像データが送信される構成にもなっている。
【００３６】
なお、図２に示されている暗号処理部１０５によって、画像データ等に暗号処理が施されてからＩＣカード１０に送信されたり、ＩＣカードリーダ１２からの信号を受信したときにその信号が暗号化されているときには暗号解読処理が行なわれたりするようにもなっている。また不図示ではあるが、音発生回路やスピーカ等も配備されていて、カードリーダからの指示に応じて警告音を発生することができる構成になっている。
【００３７】
本実施形態のＩＣカード１０は、以上の構成を有する。
【００３８】
次にＩＣカードリーダ１２の構成を説明する。
【００３９】
図４は、ＩＣカードリーダ１２の構成を示す図である。
【００４０】
図４のＩＣカードリーダ１２の動作も、ＩＣカード１０と同様に、ＣＰＵ１２１とＲＯＭ１２２とＲＡＭ１２３とによって構成されるマイクロコンピュータによって統括的に制御される。
【００４１】
この図４には、ＩＣカードリーダ１２のほかに、本発明にいうカメラ１３と本発明にいう画像表示装置１１が示されており、これらはＩＣカードリーダ１２とバスで接続されている。この画像表示装置１１には、液晶表示部制御回路１１１と液晶表示部１１２とが備えられており、バスを経由して転送されてきた画像データに基づいて液晶表示部制御回路１１１の制御の下に液晶表示部１１２上に画像が表示される。なお本明細書においては液晶表示部１１２という文言を表示画面と同じ意味合いの文言として使用する。
【００４２】
また、不図示ではあるが、改札口には残金を表示する別の表示画面が備えられており、その表示画面を駆動する表示ドライバＤＲ１，ＤＲ２が２つ備えられている。これらの表示ドライバＤＲ１，ＤＲ２によって表示面のセグメントやドットなどが駆動されて残金などが数字で表示される。
【００４３】
ここで、本実施形態においては、ＩＣカード１０が改札口で図３に示すＩＣカードリーダ１２の読取部１２０にかざされると、まずＣＰＵ１２１がＲＯＭ１２２内のプログラムの手順にしたがってＩＣカードリードライト制御回路１２４を使ってＩＣカード１０の全ての情報の読取を開始する構成にしてある。そしてＣＰＵ１２１が、ＩＣカード１０内の情報をすべて読み取ったことを受けてカメラ１３に撮影処理を行なわせるとともにＩＣカードリードライト制御回路１２４にＩＣカード１０への書き込み処理を行なわせ、その後で電子マネーの決済処理を実行する構成にしている。
【００４４】
このような構成にしておくと、決済処理を最後に行なうことにより、駅員が不正使用を液晶表示部１１２（表示画面）で確認したときには手動操作等で通過ゲートを閉めた状態にして利用者の改札口からの出駅を禁止する処置を施すことができる。
【００４５】
つまり、本発明にいうとおりに、ＩＣカードリーダ１２が、ＩＣカード１０を読み取ったことを受けて、そのＩＣカード１０を所持する利用者の顔をカメラ１３で撮影して画像情報を得、その画像情報をＩＣカードリーダ１２と画像表示装置１１に送り、ＩＣカードリーダ１２が、ＩＣカードリードライト制御回路１２４を使ってカメラ１３から送られてきた画像情報をＩＣカード１０に書き込むとともに、画像表示装置１１が、ＩＣカードリーダ１２がＩＣカード１０から読み取った過去の利用実績を示す画像情報に基づく画像とカメラ１３での今回の撮影により得られた画像情報に基づく画像との双方を表示するということになる。
【００４６】
この様な構成にすると、自動改札システムを運用する側の人つまり駅員が画像表示装置１１の液晶表示部（表示画面）１１２上でＩＣカード１０の現在の利用者の顔とそのＩＣカード１０を過去に利用した利用者の顔とを比較してそれらの間に違いを見つけることで不正使用の疑いがあるかどうかの判断を行なうことができ、さらに駅員が不正使用の疑いがあると判断した場合には、通過ゲートの閉処理を速やかに行なうことができるようになる。
【００４７】
またＩＣカードリーダ１２のＣＰＵ１２１に、操作に応じてＩＣカード１０内に記録されていたすべての画像を次々に液晶表示部１１２に表示させる処理を行なわせることは比較的容易であるので、駅員が不正の疑いがあると判断したときには、操作により液晶表示部１１２上に次々に過去の利用履歴を示す画像を表示させて過去の不正使用の履歴を辿って確認する構成に拡張することができる。そうすると、ＩＣカードを悪用する利用者の不正使用の履歴を辿ることができるという効果が得られる。
【００４８】
最後にＩＣカードリーダ１２が実行する処理を処理の手順を示すフローチャートを参照して簡単に説明する。
【００４９】
図５は、ＩＣカードリーダ１２のＣＰＵ１２１が実行する処理の手順を示すフローチャートである。
【００５０】
ステップＳ５０１で、ＩＣカードリードライト制御回路１２４からの報告に基づいて読取部１２０にかざされたＩＣカードがＩＣカードリーダ１２での読取可能なアクセス範囲内にあるかどうかを判定する。このステップＳ５０１でＩＣカードが読取可能なアクセス範囲内にないと判定したときにはステップＳ５０１の処理を繰り返し、ＩＣカードが読取可能なアクセス範囲内にあると判定したときにはステップＳ５０２に進む。
【００５１】
次のステップＳ５０２でアナログフロントエンド１０１を介してＩＣカード１０との間のデータの送受信を可能にするためのハンドシェイクを実行する。つまりこのハンドシェイクを実行して双方の同期を取って、ＩＣカード１０から決済情報及び過去の利用実績になる画像情報を読み出すことができるようにする。次のステップＳ５０３で、ＩＣカード１０のメモリ１００ａ内の画像情報を読み出して画像表示装置１１にその画像情報をバスを経由して送って液晶表示部１１２上に表示する。このときには、画像情報の中からランダムに１つの画像情報を抽出し抽出した画像情報に読み出して画像表示装置１１の液晶表示部１１２上にその画像情報に基づく画像を表示するようにしている。次のステップＳ５０４でカメラ１３にカメラ１３に撮影処理を行なわせて今回の利用者の顔を表わす画像を得てステップＳ５０３の処理で得た画像情報に基づく利用者の顔と、今回の利用者の顔とを液晶表示部１１２上に並べて表示する。次のステップＳ５０５で決済処理を実行し、ステップＳ５０６でＩＣカード１０へステップＳ５０４で撮影した画像情報を書き込む。次のステップＳ５０７でＩＣカード１０に画像情報を記録することができたかどうかを、ＩＣカード１０からの返信情報などにより確認して記録が行なわれなかったと判断したときには、ステップＳ５０８へ進んでＩＣカードに指示を与えて不図示の音発生回路に警告音を発生させるとともに改札口の表示面上にリトライ表示を行なってステップＳ５０１からの処理を繰り返し実行する。
【００５２】
ステップＳ５０７でＩＣカードに記録されたということを確認したときにはＹ側へ進んでこのフローの処理を終了する。
【００５３】
ＩＣカードリーダ１２が図５のフローの処理を実行すると、ＩＣカード１０を利用した今回の利用者の顔と同じＩＣカードを利用した過去の利用者の顔の違いが表示画面上に表示されるようになるので、不正使用の疑いがあるということを簡単に見つけ出すことができるようになる。
【００５４】
以上説明した様に、ユーザにＩＣカードの提示をさせなくても、自動改札システムを運用する人がＩＣカードの不正使用の疑いがあることを簡単に見つけ出すことができる利用者確認システムが実現する。
【００５５】
ここで、上記実施形態のようにＩＣカードリーダ１２がＩＣカード１０から、そのＩＣカード１０に複数の画像情報が記録されていた場合にはすべての画像情報を読み取るということを考えると、顔検出回路１２５と顔部品辞書１２６とを設けて、ＣＰＵ１２１が、それらを使って所定のアルゴリズムに基づいて所定の閾値を越えて相関の低い顔部品や輪郭等が存在すると判断した場合には警告を発するという構成にすることが考えられる。この構成にした方が、ＩＣカードリーダが不正使用の疑いを自動的に検出することができるので、駅員の負担が軽減されるとともに、より正確荷違いが検出される。
【００５６】
図６は、顔検出回路１２５と顔部品辞書１２６とを付加して、ＣＰＵ１２１がそれらを使って所定のアルゴリズムに基づいて所定の閾値を越えて相関の低い画像情報が存在する場合に警告を発するようにした場合の構成を示す図である。
【００５７】
図６の構成は、顔検出回路１２５と顔部品辞書１２６とが付加されている以外は図４と同様である。
【００５８】
本実施形態において、ＣＰＵ１２１は、ＩＣカード１０から読み取った１つ以上の画像情報とカメラ１３で撮影した画像とをそれぞれ比較して、各画像ごとに相関を検出して所定の閾値を超えて相関の低い画像情報が存在する場合に警告を発する構成にしている。
【００５９】
本実施形態で付加された顔部品辞書１２６には、例えば目鼻口などの各パーツに関する情報が記録されているので、ＣＰＵ１２１はそれらを使って顔検出手段１２５で検出された顔の各パーツの特徴点を抽出することができ、さらにＣＰＵ１２１は、各パーツの位置座標や顔の輪郭などを検出して、２つの画像間のどうしの類似度を演算することができる。ＣＰＵ１２１が、この演算により所定の閾値を越えて相関の低い画像情報が存在すると判定したときには、液晶表示部上に警告表示を行なうと共に電子マネーの決済処理を行なわないようにすれば、不正利用を未然に防止することができる。
【００６０】
図７は、ＣＰＵ１２１が実行する処理の手順を示すフローチャートである。
【００６１】
ステップＳ５０５１とステップＳ５０５２とステップＳ５０５３が付加され、ステップＳ５０５の処理がステップＳ５０５Ａに変更されている以外は、図５と同じ処理である。
【００６２】
ステップＳ５０５１で撮影画像とＩＣカードに記録されていた１つ以上の画像情報に基づく画像との類似度の演算を実行する。次のステップＳ５０５２で著しく異なる顔のパーチや位置関係等があったと判定したときには、Ｙ側へ進んでステップＳ５０５３でＩＣカードが備える不図示の音発生回路から警告音を発生させるとともに液晶表示部１１２に著しく異なる画像と警告文とを表示させてこのフローの処理を終了する。ステップＳ５０５２で著しく異なる顔のパーツや位置関係等がないと判定したときにはＮ側へ進んでステップＳ５０５以降の処理を実行してこのフローの処理を実行する。
【００６３】
図７の処理をＣＰＵ１２１が実行する構成にすると、自動改札システムを運用する側の人例えば駅員が表示画面上を見ていなくてもＩＣカードからの警告音により利用者の出駅を停止させることができる。また、ゲートを強行突破をされると困るので、不正使用の疑いがあるときにはゲートを開けずに利用者の出駅を止める構成にすることもでき、その構成にすると駅員の負担が軽減されるという効果が得られる。
【００６４】
また上記実施形態においてはカメラ１３で撮影した画像情報をＩＣカード１０に書き込む構成になっていることを考えて、各利用回ごとの演算時間を短縮するために演算に使用した目鼻口などの顔の各パーツの情報や類似度の演算結果をＩＣカードに記録する構成にしておいても良い。
【００６５】
図８は、そのときのＩＣカード１０Ａの記録領域の構成を示す図である。
【００６６】
図３の構成に加えて顔パターン領域が設けられており、その顔パターン領域に顔の特徴などに関する情報を記録される構成になっている。この構成にすると、各利用回ごとの演算において同じパーツを利用するときにはそのパーツを使って演算を行なうことができるので演算時間を短縮することができる。
【００６７】
また、ＩＣカード１０が電子ペーパのような不揮発性の表示画面を備えていると、ＩＣカード１０を購入して最初に改札口を通過したときの画像をその表示画面に表示することで、免許証と同じ様にそのＩＣカードを使用する人の身分証明を写真で行なう構成にすることができる。
【００６８】
図９は、別のＩＣカード１０Ａの構成を示す図であり、図１０は、図９のＩＣカード１０Ａの初回利用時に利用者の顔をそのＩＣカード１０が備える画像表示部１０６の表示画面上に表示する構成にしたときの概念を示す概念図である。
【００６９】
図９の構成は、画像表示部１０６が付加されている以外は、図２の構成と同じ構成である。この図９には画像表示部１０６に電子ペーパと電子ペーパ駆動部とが配備されている例が示されている。マイクロコンピュータ１００は、初回利用時にだけ画像表示部１０６内の電子ペーパ駆動部に指示して図１０に示す様にＩＣカード１０上に利用者の顔を表示させる。
【００７０】
こうしておくと、ＩＣカード１０Ａを落としても免許証と同じように顔写真が表示され続けることになるので、ＩＣカードの持ち主であることを証明することができるようになる。
【００７１】
図１１は、ＩＣカード１０Ａのマイクロコンピュータ１００が実行する処理の手順を示すフローチャートである。
【００７２】
ステップＳ１１０１でＩＣカードリーダ１２からの利用履歴情報に基づいて初回の利用であるかどうかを判定する。初回の利用であると判定したときには、次のステップＳ１１０２で画像表示部１０６内の電子ペーパ駆動部に指示して電子ペーパ上にＩＣカードリーダ１２から受信した画像情報に基づく画像を表示させてこのフローの処理を終了する。
【００７３】
ステップＳ１１０１で初回の利用ではないと判定したときには、このフローの処理を直ちに終了する。
【００７４】
図１１の処理をＩＣカード１０Ａ内のマイクロコンピュータ１００が実行すると、ＩＣカード１０Ａの持ち主の顔写真をＩＣカードに永遠に貼り付けたままにすることができる。
【００７５】
このため、駅員は、液晶表示部１１２上で警告表示が行なわれたときにＩＣカード上の画像を見て不正利用の確認を行なうことができる。また、ＩＣカード１０Ａの持ち主が電子ペーパ上の画像で分かるようになるので、このＩＣカードを落としたときに駅員が本人であるかどうかの確認を目視にて行なうことができるようになるという波及効果も得られる。
【図面の簡単な説明】
【００７６】
【図１】本発明の利用者確認システムを説明する概念図である。
【図２】利用者確認システム１を構成するＩＣカード１０の構成を示す図である。
【図３】ＩＣカード１０が備えるメモリ１００ａ内の記録領域の構成を示す図である。
【図４】ＩＣカードリーダ１２の構成を示す図である。
【図５】ＩＣカードリーダ１２のＣＰＵ１２１が実行する処理の手順を示すフローチャートである。
【図６】顔検出回路１２５と顔部品辞書１２６とを付加して、ＣＰＵ１２１がそれらを使って所定のアルゴリズムに基づいて所定の閾値を越えて相関の低い画像情報が存在する場合に警告を発するようにした場合の構成を示す図である。
【図７】ＣＰＵ１２１が実行する処理の手順を示すフローチャートである。
【図８】ＩＣカード１０Ａの記録領域の構成を示す図である。
【図９】別のＩＣカード１０Ａの構成を示す図である。
【図１０】図９のＩＣカード１０Ａの初回利用時に利用者の顔をそのＩＣカード１０が備える画像表示部１０６の表示画面上に表示する構成にしたときの概念を示す概念図である。
【図１１】ＩＣカード１０Ａのマイクロコンピュータ１００が実行する処理の手順を示すフローチャートである。
【符号の説明】
【００７７】
１  利用者確認システム
１０  １０Ａ  ＩＣカード
１００    マイクロコンピュータ
１０１    アナログフロントエンド
１０２    コマンド抽出部
１０３    伝送クロック抽出部
１０４    変換器
１０５    暗号処理部
１０６    画像表示部
１１    画像表示装置
１１１    液晶表示部制御回路
１１２    液晶表示部
１２    ＩＣカードリーダ
１２０    読取部
１２１    ＣＰＵ
１２２    ＲＯＭ
１２３    ＲＡＭ
１２４    ＩＣカードリードライト制御回路  
【図１】
2009217478.tif 000003
【図２】
2009217478.tif 000004
【図３】
2009217478.tif 000005
【図４】
2009217478.tif 000006
【図５】
2009217478.tif 000007
【図６】
2009217478.tif 000008
【図７】
2009217478.tif 000009
【図８】
2009217478.tif 000010
【図９】
2009217478.tif 000011
【図１０】
2009217478.tif 000012
【図１１】
2009217478.tif 000013